(57)【特許請求の範囲】
【請求項１】
複数回の射出のための量の医薬を収容し、交換可能なシリンダーアンプルと、
このシリンダーアンプルの先端部に設けられ、シリンダーアンプル内の医薬を設定された投与量で吐出させるノズルと、
前記シリンダーアンプルの中に配置され、前記ノズルに向けて移動可能なピストンと、
このピストンに当接して、移動させるピストンロッドと、
圧縮が解除されたときに、前記ピストンロッドを付勢して、ピストンを移動させる圧縮ばねと、
前記ノズルからの医薬の吐出前に、前記ビストンの移動距離を設定することにより、医薬の投与量を設定する手段とを具備するインジェクターにおいて、
前記手段は、前記シリンダーアンプルを収容する先端部と、前記ピストンロッドと圧縮ばねとを収容した基端部とを具備し、前記ノズルから吐出される医薬の投与量を設定するために、前記先端部と基端部とには、これらの一方が他方の中に連続してねじ込まれる、相互に係合可能なねじが設けられていることを特徴とするインジェクター。
【発明の詳細な説明】
本発明は、高速射出としてノズルから所定の投与量で医薬を皮膚を貫通するように吐出可能に、駆動機構により駆動されるピストンロッドにより押圧されるピストンを中に有するシリンダーを具備する形式のインジェクターに関する。
インジェクターは、医薬が満たされた一回の使用の使い捨て装置として案出されなければ、インジェクターは、例えば、６／１９２５２に記載されているように、使用される直前に出口を通して充填されなければならない。
従って、本発明の目的は、数回の射出用として使用されるように設計され、また、各射出の前に充填作業を必要としないインジェクターを提供することである。
これは、シリンダーが、複数回の射出のための変更可能なシリンダーアンプルであることを特徴とする、この出願の冒頭に述べた種類のインジェクターにより得られる。
前記シリンダーアンプルは、第１の端部と第２の端部とを有し、第２の端部近くのピストンがアンプルの中に押圧されたときに、所定の投与量の医薬が第１の端部の所で射出部材を介して吐出される種類で良い。
さらに、投与量設定手段が、設けられており、この手段によって、射出の間に駆動されるピストンロッドによって、ピストンがシリンダーアンプルの中に移動する距離がピストンロッドの各解放の前に設定され得る。
本発明の一実施の形態に係われば、前記ノズルは、前記シリンダーアンプルと一体的であり得るか、アンプルの第１の端部は、コム膜により閉塞され得る、また、射出部材は、ノズルをアンプルの中の医薬と連通させるように、ゴム膜を貫通しているニードルを備えたハブの中に設けられたノズルを有し得る。後者の例は、インジェクター間でのノズルの交換が可能であり、さらに、アンプルへのアクセスが、ノズルが装着されていないときには、閉じられる。
本発明において、インジェクターは、シリンダーアンプルを収容する先端部と、駆動機構とピストンロッドとを収容した基端部とを具備でき、このピストンロッドは、解放されたときに、駆動機構により設定された距離だけ前進することができ、また、先端部と基端部とには、装置により吐出される投与量を設定するために、これら端部の一方が他方の中に連続してねじ込まれる、相互に係合可能なねじが設けられている。
以下に、本発明は、図面を参照してさらに詳細に説明される。
図１は、本発明に係わるインジェクターを概略的に示す断面図である。
図２は、アンプルの端部と、装着されたインジェクター部材とを拡大して示す。
図１に示すインジェクターは、アンプル２を収容する先端部１を有する。このアンプルは、出口端がゴム膜３により閉塞され、また、他端がピストン４により閉塞されている。このピストンは、中空ニードル６の端部に設けられたノズル５を介してアンプル内の収容物を吐出するように、アンプル内に圧入され得る。ノズルがアンプルの出口端に位置する受け部に、ハブ７により装着されたときに、前記中空ニードル６は、前記ノズルをアンプル２の内部と連通させるように、前記ゴム膜３を貫通する。図２は、ハブ７が装着されたアンプルの出口端を拡大して示す。
さらに、このインジェクターは、ハウジング８を有する動力ユニットを形成する基端部を有する。このハウジング８内には、基端位置と先端位置との間で軸方向に移動可能にピストンロッド９が装着されている。図１において、このピストンロッド９は、このピストンロッドが、ばね１０の付勢力に抗して保持される基端位置にある。尚、このばねは、ハウジング８の内方フランジ１１と、ピストンロッド９のリング形状のフランジ１２との間に設けられて、ピストンロッドを先端方向に付勢している。このピストンロッドは、これの基端部に形成された可撓性アーム１４に設けられた複数のフック部１３により、基端位置に保持されている。これらアーム１４は、フック部が内方フランジの後面と係合するように、内方フランジ１１の中心に形成された開口を通って突出している。これらフック部は、一緒になって円錐面を形成し、この円錐面には、解放ボタン１５に形成された内ボアのエッジが、解放ボタンがフック部１３を押すように押圧されたときに、作用可能で、フック部がフランジ１１との係合を解除するまで、アームがピストンロッド９の中心軸に向かって内方に向かう。この結果、ピストンロッド９がばねにより先端位置へと付勢されているときに、フック部は、フランジ１１の中心に形成されたボアを通り得る。この先端位置で、ハウジング８に形成された内方フランジ１６にピストンロッドのリング形状のフランジ１２が当接する。
前記ピストンは、その先端位置から、基端留め位置へと、図示しないピンを有する留め装置により戻される得る。このピンは、ピストンロッドの長軸に対して垂直にピストンロッドのを貫通したホール１７と、ハウジング８に形成されたスロットとを通って、ハウジングの外側から突出する。このピンの両端は、掴持され、基端方向に手動で引かれて、ピストンロッド９は基端位置へと動かされる。このピストンロッド９の移動の間、フック部１３は、内方フランジ１１の中心に形成されたボアを通り、アームの可撓性のために、外方に弾性的に広がり、フランジ１１の後面と係合する。この結果、ピストンロッドは、基端位置にロックされる。
前記アンプル２を収容したインジェクターの先端部１は、これの基端部に雄ねじが形成されている。この雄ねじは、基端部のハウジング８の筒状の先端部に形成された雌ねじと螺合し、この結果、先端部は、ハウジング８の基端部の中にねじ留めされ得る。このねじ結合により、アンプルの交換が可能なように、２つの部材をねじで取り外すことを可能にしており、また、射出される内容物の一回の投与量を設定するように、互いにねじ留め調節され得る。
所定量の内容物が射出されるとき、ピストンロッドが先端位置から以下のようにして始動する。
ノズル５を備えたハブ７が、アンプル２の出口端に設けられた装着部材に装着される。
医薬がノズルから吐出されるのを見ることができるまで、先端部が、基端部中へとねじ留めされる。
フック部１３がフランジ１１の後面と係合するまで、動力ユニットがピストンを基端方向に引くように作用される（このときには、ピストンロッド９の先端は、ピストンロッドのストロークに対応する距離だけピストン４から離れている）。
投与量が、先端部を基端部の中に、所望の投与量を吐出するのに必要な、ピストンの移動量に対応する距離だけねじ留めすることにより設定される（ピストンロッド９の先端とピストン４との間の距離は、ピストンロッドのストロークから、所望の投与量を射出するためにピストンが動かされる必要のある距離を引いた距離と対応する）。
ノズルが、射出が望まれている皮膚に対して保持され、そして、解放ボタン１５が押圧される（ピストンロッドは、ばねにより、そのストロークに対応する距離だけ移動さりる。この移動の最後の間、ピストンは、設定された投与量に対応する距離だけアンプル中に移動される）。
カウンターが、投与量を設定するためにねじの長さに応じて、ユニットをカウントするように設けられ得る。さらに、移動留めが、これが解放されたときに、先端部が基端部からねじ戻しのみされて、間違って設定された投与量を無効にするように部分的にねじ戻しされるか、アンプルの交換を可能にするように全体に渡ってねじ戻しされるように、設けられ得る。
インジェクターの留めは、組み込まれたバッテリーからか、電源への外部接続によってかで、電力が供給される、組み込まれたモータによって果たされ得る。
上述した実施の形態において、ピストンロッドは、留めばねにより駆動されるようになっているが、ピストンロッドは、圧縮ガス、電気モータ、もしくは慎重に適用された火薬により駆動され得る。
【図１】
0003977442.tif 000002
【図２】
0003977442.tif 000003